(57)【要約】  画像表示ユニットは、頭部装着装置と、頭部装着装置と別体に設けられ、頭部装着装置と通信可能に設けられる操作装置と、制御装置と、を備える。頭部装着装置は、フレームと、フレームに搭載され、フレームを装着したユーザの右眼に対向する位置に配置され、透過性を有する第１表示部と、フレームに搭載され、フレームを装着したユーザの左眼に対向する位置に配置され、透過性を有する第２表示部と、を備える。操作装置は、ユーザが指示を入力するための操作部と、情報を表示するための第３表示部と、を備える。制御装置は、第１表示部と第２表示部と第３表示部とに、第１表示部における中央部近傍の範囲である第１中央部と、第２表示部における中央部近傍の範囲である第２中央部と、に画像を表示させずに、第３表示部に画像を表示させる、第１表示と、第１中央部と第２中央部とに画像を表示させる、第２表示と、を選択的に行わせる。
2018173288.tif 000002
【特許請求の範囲】
【請求項１】
画像表示ユニットであって、
頭部装着装置と、
前記頭部装着装置と別体に設けられる操作装置であって、前記頭部装着装置と通信可能に設けられる前記操作装置と、
制御装置と、を備え、
前記頭部装着装置は、
ユーザの頭部に装着可能なフレームと、
前記フレームに搭載され、前記フレームを装着した前記ユーザの右眼に対向する位置に配置され、透過性を有する第１表示部と、
前記フレームに搭載され、前記フレームを装着した前記ユーザの左眼に対向する位置に配置され、透過性を有する第２表示部と、
を備え、
前記操作装置は、
前記ユーザが指示を入力するための操作部と、
情報を表示するための第３表示部と、
を備え、
前記制御装置は、前記第１表示部と前記第２表示部と前記第３表示部とに、
前記第１表示部における中央部近傍の範囲である第１中央部と、前記第２表示部における中央部近傍の範囲である第２中央部と、に画像を表示させずに、前記第３表示部に画像を表示させる、第１表示と、
前記第１中央部と前記第２中央部とに画像を表示させる、第２表示と、
を選択的に行わせる、画像表示ユニット。
【請求項２】
前記制御装置は、
前記操作部に第１操作の入力が要求されている間に、前記第１表示部と前記第２表示部と前記第３表示部とに前記第１表示を行わせ、
前記操作部に前記第１操作の入力が要求されていない間に、前記第１表示部と前記第２表示部と前記第３表示部とに前記第２表示を行わせる、
請求項１に記載の画像表示ユニット。
【請求項３】
前記制御装置は、
前記第１表示部と前記第２表示部と前記第３表示部とが前記第２表示を行っている間に、前記操作部に前記第１操作とは異なる第２操作が入力される場合に、前記第１表示部と前記第２表示部と前記第３表示部とに前記第２表示を終了させて前記第１表示を開始させ、
前記第２操作は、前記第１表示部と前記第２表示部と前記第３表示部とが前記第２表示を行っている間に、前記操作部への入力が要求されていない操作である、
請求項２に記載の画像表示ユニット。
【請求項４】
前記制御装置は、
前記第１表示部と前記第２表示部と前記第３表示部とが前記第１表示を行っている間に、前記操作部に前記第１操作が入力される場合に、前記第１表示部と前記第２表示部と前記第３表示部とに前記第１表示を終了させて前記第２表示を開始させる、
請求項２又は３に記載の画像表示ユニット。
【請求項５】
前記第２表示は、
前記第１中央部と前記第２中央部とに同じ画像を表示させる第１種の前記第２表示と、
前記第１中央部と前記第２中央部とに異なる画像を表示させる第２種の前記第２表示と、を含み、
前記制御装置は、前記第１表示部と前記第２表示部と前記第３表示部とに、前記第１種の第２表示と、前記第２種の第２表示と、を選択的に行わせる、
請求項１から４のいずれか一項に記載の画像表示ユニット。
【請求項６】
前記第２種の第２表示では、前記第１中央部に表示される画像は、右眼によって第１角度から見た対象物を示す画像を含み、前記第２中央部に表示される画像は、左眼によって前記第１角度とは異なる第２角度から見た前記対象物を示す画像を含む、
請求項５に記載の画像表示ユニット。
【請求項７】
頭部装着装置と、前記頭部装着装置と別体であって前記頭部装着装置と通信可能に設けられる前記操作装置と、制御装置と、を備える画像表示ユニットにおける前記制御装置のためのコンピュータプログラムであって、
前記頭部装着装置は、
ユーザの頭部に装着可能なフレームと、
前記フレームに搭載され、前記フレームを装着した前記ユーザの右眼に対向する位置に配置され、透過性を有する第１表示部と、
前記フレームに搭載され、前記フレームを装着した前記ユーザの左眼に対向する位置に配置され、透過性を有する第２表示部と、
を備え、
前記操作装置は、
前記ユーザが指示を入力するための操作部と、
情報を表示するための第３表示部と、
を備え、
前記コンピュータプログラムは、前記制御装置を、
前記第１表示部と前記第２表示部と前記第３表示部とに、
前記第１表示部における中央部近傍の範囲である第１中央部と、前記第２表示部における中央部近傍の範囲である第２中央部と、に画像を表示させずに、前記第３表示部に画像を表示させる、第１表示と、
前記第１中央部と前記第２中央部とに画像を表示させる、第２表示と、
を選択的に行わせるように機能させる、
コンピュータプログラム。
【発明の詳細な説明】
【技術分野】
【０００１】
本明細書によって開示される技術は、ユーザの頭部に装着して使用される頭部装着装置と、頭部装着装置と通信可能に設けられる操作装置とを備える画像表示ユニットに関する。
【背景技術】
【０００２】
例えば、特開２０１６−１４９５８７号公報（以下、特許文献１という）には、ユーザの頭部に装着して使用される画像表示装置が開示されている。この画像表示装置は、ユーザの頭部に装着可能なフレームと、フレームに搭載され、フレームを装着したユーザの眼に対向する位置に配置される表示部を備える。そして、画像表示装置は、画像表示装置とは別体に設けられる操作装置とコードを介して通信可能に接続されている。ユーザは、画像表示装置を頭部に装着した状態で、操作装置を操作することで、画像表示装置に様々な指示を入力することができる。
【発明の概要】
【発明が解決しようとする課題】
【０００３】
特許文献１の技術では、操作装置は、決定キー、タッチパッド、方向キーを含む操作部を備えているが、画像を表示するための表示部は備えていない。特許文献１の技術では、操作装置に表示部が備えられる場合において、画像表示装置の表示部と操作装置の表示部とにどのように画像を表示させるのかは考慮されていない。【０００４】
本明細書では、ユーザが視認し得る態様で各表示部に適切に画像を表示し得る画像表示ユニットを開示する。【０００５】
本明細書によって開示される画像表示ユニットは、頭部装着装置と、前記頭部装着装置と別体に設けられる操作装置であって、前記頭部装着装置と通信可能に設けられる前記操作装置と、制御装置と、を備える。前記頭部装着装置は、ユーザの頭部に装着可能なフレームと、前記フレームに搭載され、前記フレームを装着した前記ユーザの右眼に対向する位置に配置され、透過性を有する第１表示部と、前記フレームに搭載され、前記フレームを装着した前記ユーザの左眼に対向する位置に配置され、透過性を有する第２表示部と、を備える。前記操作装置は、前記ユーザが指示を入力するための操作部と、情報を表示するための第３表示部と、を備える。前記制御装置は、前記第１表示部と前記第２表示部と前記第３表示部とに、前記第１表示部における中央部近傍の範囲である第１中央部と、前記第２表示部における中央部近傍の範囲である第２中央部と、に画像を表示させずに、前記第３表示部に画像を表示させる、第１表示と、前記第１中央部と前記第２中央部とに画像を表示させる、第２表示と、を選択的に行わせる。【０００６】
ここで、「第１中央部」は、第１表示部のうち、ユーザの右眼が正面を見る場合において、ユーザの視野の中央部近傍に対応する範囲、と言い換えてもよい。また、「第１中央部」を、第１表示部のうち、ユーザの右眼が正面を見る場合において、ユーザの右眼の瞳孔に対向する範囲、と言い換えてもよい。同様に、「第２中央部」は、第２表示部のうち、ユーザの左眼が正面を見る場合において、ユーザの視野の中央部近傍に対応する範囲、と言い換えてもよい。また、「第２中央部」を、第２表示部のうち、ユーザの左眼が正面を見る場合において、ユーザの左眼の瞳孔に対向する範囲、と言い換えてもよい。【０００７】
上記の構成によると、第１表示が行われている間は、第１中央部及び第２中央部に画像が表示されないため、頭部装着装置を装着しているユーザは、第１表示部及び第２表示部越しに、操作装置の第３表示部に表示されている画像を、第１表示部及び第２表示部に表示される画像によって妨げられることなく視認することができる。そして、第２表示が行われている間は、第１中央部及び第２中央部に画像が表示されるため、頭部装着装置を装着しているユーザは、第１中央部及び第２中央部に表示される画像を視認することができる。従って、上記の構成によると、第１表示部と第２表示部と第３表示部とに、ユーザが視認できる態様で適切に画像を表示させ得る。【０００８】
前記制御装置は、前記操作部に第１操作の入力が要求されている間に、前記第１表示部と前記第２表示部と前記第３表示部とに前記第１表示を行わせ、前記操作部に前記第１操作の入力が要求されていない間に、前記第１表示部と前記第２表示部と前記第３表示部とに前記第２表示を行わせるようにしてもよい。【０００９】
ここで、「第１操作」は、例えば、ユーザＩＤ及びパスワードの入力操作、暗証番号の入力操作、ＯＫボタン（又はキャンセルボタン）の選択操作、アプリケーション終了操作等、ユーザに対して、入力が要求される様々な操作を含む。【００１０】
操作部に第１操作の入力が要求されている場合には、頭部装着装置を装着しているユーザは、操作装置の第３表示部を見ながら操作部に第１操作を入力する必要がある可能性が高い。上記の構成によると、操作部に第１操作の入力が要求されている場合に、頭部装着装置を装着しているユーザは、第１表示部及び第２表示部越しに、操作装置の第３表示部に表示されている画像を、第１表示部及び第２表示部に表示される画像によって妨げられることなく視認しながら第１操作を入力することができる。ユーザが第１操作を適切に入力することができる。【００１１】
前記制御装置は、前記第１表示部と前記第２表示部と前記第３表示部とが前記第２表示を行っている間に、前記操作部に前記第１操作とは異なる第２操作が入力される場合に、前記第１表示部と前記第２表示部と前記第３表示部とに前記第２表示を終了させて前記第１表示を開始させてもよい。前記第２操作は、前記第１表示部と前記第２表示部と前記第３表示部とが前記第２表示を行っている間に、前記操作部への入力が要求されていない操作であってもよい。【００１２】
ここで、「第２操作」は、例えば、操作装置のロック状態を解除するためのタッチ操作等、ユーザに第１操作の入力が要求される前の様々な操作を含む。【００１３】
操作部に第２操作が入力される場合、ユーザが、その後、操作部にさらに操作（例えば第１操作）を入力する可能性がある。上記の構成によると、第２表示が行われている間に第２操作が入力される場合に、第２表示が終了して第１表示が開始される。そのため、第２操作が入力された後、ユーザは、第１表示部及び第２表示部に表示される画像によって妨げられることなく、そのまま第３表示部を視認しながら操作部に操作を入力することができる。ユーザの操作の利便性が妨げられることを抑制することができる。【００１４】
前記制御装置は、前記第１表示部と前記第２表示部と前記第３表示部とが前記第１表示を行っている間に、前記操作部に前記第１操作が入力される場合に、前記第１表示部と前記第２表示部と前記第３表示部とに前記第１表示を終了させて前記第２表示を開始させてもよい。【００１５】
この構成によると、ユーザが第３表示部を視認しながら操作部に第１操作を入力した後は、ユーザは、第１中央部及び第２中央部に表示される画像を視認することができる。【００１６】
前記第２表示は、前記第１中央部と前記第２中央部とに同じ画像を表示させる第１種の前記第２表示と、前記第１中央部と前記第２中央部とに異なる画像を表示させる第２種の前記第２表示と、を含んでもよい。前記制御装置は、前記第１表示部と前記第２表示部と前記第３表示部とに、前記第１種の第２表示と、前記第２種の第２表示と、を選択的に行わせてもよい。【００１７】
この構成によると、ユーザに様々な態様の画像を視認させ得る。【００１８】
前記第２種の第２表示では、前記第１中央部に表示される画像は、右眼によって第１角度から見た対象物を示す画像を含み、前記第２中央部に表示される画像は、左眼によって前記第１角度とは異なる第２角度から見た前記対象物を示す画像を含んでもよい。【００１９】
この構成によると、ユーザに画像を立体的に視認させ得る。【００２０】
なお、上記の頭部装着装置、操作装置、及び、制御装置を実現するための制御方法、コンピュータプログラム、及び、当該コンピュータプログラムを格納するコンピュータ読取可能媒体も、新規で有用である。
【図面の簡単な説明】
【００２１】
【図１】画像表示ユニットの外観を示す。
【図２】画像表示ユニットのブロック図を示す。
【図３】表示制御処理のフローチャートを示す。
【図４】第１表示の一例を示す。
【図５】第２表示の一例（２Ｄ表示）を示す。
【図６】第２表示の一例（２Ｄ連続表示）を示す。
【図７】第２表示の一例（３Ｄ表示）を示す。
【００２２】
（実施例）
（画像表示ユニット２の構成；図１）
図１に示す画像表示ユニット２は、頭部装着装置１０と、操作装置１００とを備える。画像表示ユニット２は、頭部装着装置１０と、操作装置１００とを用いて各種画像を表示するための表示ユニットである。頭部装着装置１０と操作装置１００とは、通信ケーブル１５０によって有線通信可能に接続されている。変形例では、頭部装着装置１０と操作装置１００とは、相互に無線通信可能であってもよい。【００２３】
（頭部装着装置１０の構成；図１、図２）
図１に示す頭部装着装置１０は、ユーザの頭部に装着して用いられる画像表示用装置（いわゆるヘッドマウントディスプレイ）である。図１に示すように、頭部装着装置１０は、フレーム１２と、右表示部１４Ｒと、左表示部１４Ｌと、操作部１６と、右カメラ１８Ｒと、左カメラ１８Ｌと、右投影部２０Ｒと、左投影部２０Ｌと、コントロールボックス３０と、を備えている。以下、右表示部１４Ｒと左表示部１４Ｌとを区別せずに呼ぶ場合には単に「表示部１４」と呼ぶ場合がある。同様に、右カメラ１８Ｒと左カメラ１８Ｌとを区別せずに「カメラ１８」と呼び、右投影部２０Ｒと左投影部２０Ｌとを区別せずに「投影部２０」と呼ぶ場合がある。【００２４】
フレーム１２は、眼鏡フレーム状の部材である。ユーザは、眼鏡を装着するようにフレーム１２を装着することによって、頭部装着装置１０を頭部に装着することができる。【００２５】
表示部１４は透光性の表示部材である。ユーザが頭部装着装置１０を頭部に装着すると、ユーザの右眼に対向する位置に右表示部１４Ｒが配置され、左眼に対向する位置に左表示部１４Ｌが配置される。表示部１４が透光性であるため、ユーザは、表示部１４越しに周囲を視認することができる。また、表示部１４はハーフミラー構造を有しており、投影部２０から照射される光（即ち画像を構成する光）を反射してユーザの眼に投影し、ユーザの眼に画像を視認させることができる。【００２６】
操作部１６は、複数個のボタン、ダイヤル等を含む。ユーザは、操作部１６を操作して、頭部装着装置１０に様々な指示を入力することができる。【００２７】
カメラ１８は、頭部装着装置１０を装着するユーザの視界範囲に対応する範囲を撮影するためのカメラである。右カメラ１８Ｒは、フレーム１２のうち、右表示部１４Ｒの上方位置（即ち、ユーザの右眼の上方に対応する位置）に配置されている。一方、左カメラ１８Ｌは、フレーム１２のうち、左表示部１４Ｌの上方位置（即ち、ユーザの左眼の上方に対応する位置）に配置されている。右カメラ１８Ｒはユーザの右眼の視界範囲を撮影し、左カメラ１８Ｌはユーザの左眼の視界範囲を撮影する。【００２８】
投影部２０は、投影部２０は、表示部１４に画像を表わす光を投影するための部材である。右投影部２０Ｒ、左投影部２０Ｌは、それぞれ、右表示部１４Ｒ、左表示部１４Ｌの側部に設けられている。右投影部２０Ｒは右表示部１４Ｒに光を照射し、左投影部２０Ｌは左表示部１４Ｌに光を照射する。投影部２０は、図示しないＬＥＤパネル、プリズム、ＬＣＯＳパネル、レンズ等の光学要素を内蔵している。投影部２０は、制御部４０（図２参照）の指示に従って、所定の仮想画像を側方から表示部１４に投影する。表示部１４は、投影部２０から投影された光を反射してユーザの眼に投影する。これにより、ユーザは、表示部１４越しにユーザが視認可能な現実世界の対象物又は／及び空間の所定の位置に、画像が重畳されたかの様に、現実世界の対象物又は／及び空間と画像とを視認することができる。以下、本明細書では、制御部４０が、投影部２０に画像の投影を指示することによって、表示部１４に所望の画像が表示されているようにユーザに視認させることを説明する場合に、投影部２０の動作の説明を省略し、単に「制御部４０が表示部１４に所望の画像を表示させる」などと表現する場合がある。【００２９】
図１、図２に示すコントロールボックス３０は、フレーム１２の一部に内蔵されている制御装置である。コントロールボックス３０には、頭部装着装置１０の制御系統を司る各要素が収容されている。具体的には、図２に示すように、コントロールボックス３０には、制御部４０と、メモリ４２と、無線通信インターフェース４４と、有線通信インターフェース４６とが収容されている。以下では、インターフェースのことを「Ｉ／Ｆ」と記載する。【００３０】
制御部４０は、メモリ４２に記憶されているプログラムに従って様々な処理を実行する。また、制御部４０は、図２に示すように、操作部１６、カメラ１８、投影部２０、メモリ４２、無線通信Ｉ／Ｆ４４、及び有線通信Ｉ／Ｆ４６と電気的に接続されており、これらの各要素の動作を制御することができる。また、制御部４０は、有線通信Ｉ／Ｆ４６を介して操作装置１００の制御部１４０と有線通信を行うことにより、制御部１４０と協働して後述の表示制御処理（図３参照）を実行することもできる。【００３１】
無線通信Ｉ／Ｆ４４は、図示しないインターネットを介して外部の装置と無線通信（即ちＷｉ−Ｆｉ通信）を実行するためのＩ／Ｆである。【００３２】
有線通信Ｉ／Ｆ４６は、通信ケーブル１５０を介して、操作装置１００と有線通信を実行するためのＩ／Ｆである。有線通信Ｉ／Ｆ４６は通信ケーブル１５０に接続されている。【００３３】
（操作装置１００の構成；図１、図２）
操作装置１００は、ユーザが手で操作して様々な指示を入力するための端末装置である。操作装置１００は、操作装置１００及び頭部装着装置１０に電力を供給するバッテリ（図示省略）を内蔵している。図１に示すように、操作装置１００は、本体１０２と、本体１０２の表面に設けられているタッチパネル１０３と、を備える。そして、図２に示すように、本体１０２の内側には、さらに、制御部１４０と、メモリ１４２と、有線通信Ｉ／Ｆ１４６とが設けられている。【００３４】
本体１０２は、操作装置１００の筐体である。タッチパネル１０３は、様々な情報を表示するためのディスプレイとしての機能と、ユーザが入力する様々な指示を操作装置１００に入力するタッチパッドとしての機能とを併せ持つ。タッチパネル１０３は、ユーザの操作を検出するためのセンサ（図示しない）を内蔵している。即ち、タッチパネル１０３は、表示部と操作部とが一体に構成された要素である。変形例では、表示部と操作部とが別体に設けられていてもよい。【００３５】
制御部１４０は、メモリ１４２に記憶されているプログラムに従って様々な処理を実行する。また、制御部１４０は、図２に示すように、タッチパネル１０３、メモリ１４２、及び、有線通信Ｉ／Ｆ１４６と電気的に接続されており、これらの各要素の動作を制御することができる。また、制御部１４０は、有線通信Ｉ／Ｆ１４６を介して頭部装着装置１０の制御部４０と有線通信を行うことにより、制御部４０と協働して後述の表示制御処理（図３参照）を実行することもできる。【００３６】
有線通信Ｉ／Ｆ４６は、通信ケーブル１５０を介して、頭部装着装置１０と有線通信を実行するためのＩ／Ｆである。有線通信Ｉ／Ｆ４６は通信ケーブル１５０に接続されている。【００３７】
（表示制御処理；図３）
続いて、頭部装着装置１０の制御部４０と、操作装置１００の制御部１４０とが協働して実行する表示制御処理について説明する。以下の説明では、協働する制御部４０と制御部１４０とを総称して単に「制御部」と呼ぶ場合がある。表示制御処理は、右表示部１４Ｒ、左表示部１４Ｌ、及びタッチパネル１０３に対して、状況に応じた画像を表示させるための制御処理である。制御部は、頭部装着装置１０及び操作装置１００の電源がオンされている間、図３の表示制御処理を繰り返し実行する。【００３８】
Ｓ１０では、制御部は、操作装置１００のタッチパネル１０３における操作の入力が要求されている状況であるか否かを判断する。以下では、タッチパネル１０３での操作の入力が要求されている状況のことを「特定の状況」と呼ぶ場合がある。ここで、「特定の状況」は、例えば、ユーザＩＤ及びパスワードの入力操作、暗証番号の入力操作、ＯＫボタン（又はキャンセルボタン）の選択操作、アプリケーション終了操作等、ユーザに対して、タッチパネル１０３での操作の入力が要求される様々な状況を含む。一方、特定の状況ではない状況とは、例えば、右表示部１４Ｒ及び左表示部１４Ｌに画像が表示され、ユーザがタッチパネル１０３を操作する必要がない状況である。制御部は、現在特定の状況であると判断する場合に、Ｓ１０でＹＥＳと判断してＳ１２に進む。一方、制御部は、現在特定の状況ではないと判断する場合に、Ｓ１０でＮＯと判断してＳ１４に進む。【００３９】
Ｓ１２では、制御部は、右表示部１４Ｒ、左表示部１４Ｌ、及びタッチパネル１０３に第１表示（図４参照）を行わせる。Ｓ１２の時点で既に第１表示が行われている場合には、制御部は、第１表示が行われている状態を維持する。【００４０】
（第１表示の具体例；図４）
図４を参照して第１表示の一例を説明する。図４に示す第１表示は、タッチパネル１０３を操作して暗証番号（即ちＰＩＮコード）を入力することをユーザに要求するための表示である。図４の例では、右表示部１４Ｒの中央部近傍の部分である右中央部１４ＲＣと、左表示部１４Ｌの中央部近傍の部分である左中央部１４ＬＣと、には画像が一切表示されない。右中央部１４ＲＣは、頭部装着装置１０を装着したユーザの右眼が正面を見る場合において、ユーザの視野の中央部近傍に対応する範囲、と言い換えてもよい。また、右中央部１４ＲＣは、頭部装着装置１０を装着したユーザの右眼が正面を見る場合において、ユーザの右眼の瞳孔に対向する範囲、と言い換えてもよい。同様に、左中央部１４ＬＣは、頭部装着装置１０を装着したユーザの左眼が正面を見る場合において、ユーザの視野の中央部近傍に対応する範囲、と言い換えてもよい。また、左中央部１４ＬＣは、頭部装着装置１０を装着したユーザの左眼が正面を見る場合において、ユーザの左眼の瞳孔に対向する範囲、と言い換えてもよい。【００４１】
これに対し、右表示部１４Ｒのうちの右中央部１４ＲＣの周囲の部分である右周辺部１４ＲＰと、左表示部１４Ｌのうちの左中央部１４ＬＣの周囲の部分である左周辺部１４ＬＰとには、タッチパネル１０３を操作して、暗証番号を入力すべきことをユーザに伝えるメッセージを示す画像２００Ｒ、２００Ｌが表示される。画像２００Ｒ、２００Ｌは同じ画像である。そのため、ユーザは、視界の下方の部分において「Enter Code」というメッセージを視認することができる。ただし、右中央部１４ＲＣ及び左中央部１４ＬＣに画像が表示されていないため、ユーザは、画像２００Ｒ，２００Ｌによって妨げられることなく、表示部１４越しに周囲（例えばタッチパネル１０３）を視認することができる。【００４２】
タッチパネル１０３には、暗証番号入力のためのキーボードを示す画像２１０と、ＯＫボタンを示す画像２２０と、キャンセルボタンを示す画像２３０と、が表示される。ユーザは、表示部１４越しにタッチパネル１０３を見ながら、暗証番号を入力する操作を行うことができる。【００４３】
即ち、図３のＳ１２で行われる第１表示は、右中央部１４ＲＣ及び左中央部１４ＬＣに画像を表示させることなく、タッチパネル１０３に画像を表示させる表示、と言い換えてもよい。制御部は、Ｓ１２で第１表示を行うと、Ｓ１０に戻って、特定の状況か否かの判断を再度行う。【００４４】
一方、Ｓ１４では、制御部は、右表示部１４Ｒ、左表示部１４Ｌ、及びタッチパネル１０３に第２表示（図５〜図７参照）を行わせる。Ｓ１４の時点で既に第２表示が行われている場合には、制御部は、第２表示が行われている状態を維持する。【００４５】
（第２表示の具体例（１）；図５）
図５を参照して第２表示の一例を説明する。図５に示す第２表示は、ユーザに、表示部１４に表示されたリンゴの画像２５０Ｌ，２５０Ｒを平面的に視認させるための表示である。図５の例では、左表示部１４Ｌ，右表示部１４Ｒには、リンゴを示す画像２５０Ｌ，２５０Ｒが表示されている。図５の例では、画像２５０Ｌ，２５０Ｒは、左中央部１４ＬＣ，右中央部１４ＲＣを含む範囲に表示される。画像２５０Ｌ，２５０Ｒは同じ画像である。これにより、ユーザに、１個のリンゴの画像を平面的に視認させることができる。そのため、図５に示すタイプの第２表示を「２Ｄ表示」と呼んでもよい。【００４６】
タッチパネル１０３には、ロック解除用のアイコンを示す画像２６０が表示されている。即ち、図５の例では、タッチパネル１０３は、操作装置１００が待機中であることを示している。ユーザが画像２６０をタッチする操作を入力すると、操作装置１００のロックが解除され、操作装置１００を操作可能な状態（例えば、特定の状況）に移行する。【００４７】
（第２表示の具体例（２）；図６）
図６を参照して第２表示の他の一例を説明する。図６に示す第２表示は、ユーザに、表示部１４に表示された一つの蛇の画像２７０Ｌ，２７０Ｒを平面的に視認させるための表示である。図６の例では、左表示部１４Ｌには、頭部を含む蛇の半身を示す画像２７０Ｌが表示され、右表示部１４Ｒには、尾部を含む蛇の半身を示す画像２７０Ｒ（即ち画像２７０Ｌの続きの画像）が表示されている。図６の例でも、画像２７０Ｌ，２７０Ｒは、左中央部１４ＬＣ，右中央部１４ＲＣを含む範囲に表示される。図６の例では、画像２７０Ｌ，２７０Ｒが表示されることにより、一続きの１匹の大きな蛇の画像をユーザに平面的に視認させる。そのため、図６に示すタイプの第２表示を「２Ｄ連続表示」と呼んでもよい。なお、図６の例でも、タッチパネル１０３には、ロック解除用のアイコンを示す画像２６０が表示される。ユーザが画像２６０をタッチする操作を入力すると、ロックが解除され、操作装置１００を操作可能な状態（例えば、特定の状況）に移行する。【００４８】
（第２表示の具体例（３）；図７）
図７を参照して第２表示の他の一例を説明する。図７に示す第２表示は、ユーザに、表示部１４に表示されたマグカップの画像２８０Ｒ，２８０Ｌを立体的に視認させるための表示である。図７の例では、右表示部１４Ｒには、右眼によって右側の角度から見た場合の１個のマグカップを示す画像である画像２８０Ｒが表示される。左表示部１４Ｌには、左眼によって左側の角度から見た場合の１個のマグカップを示す画像である画像２８０Ｌが表示される。図７の例でも、画像２８０Ｌ，２８０Ｒは、左中央部１４ＬＣ，右中央部１４ＲＣを含む範囲に表示される。画像２８０Ｌ，２８０Ｒは、同じ対象物を異なる角度から見た場合の画像であり、互いに異なる画像である。図７の例では、画像２８０Ｌ，２８０Ｒが表示されることにより、１個のマグカップの画像をユーザに立体的に視認させる。そのため、図７に示すタイプの第２表示を「３Ｄ表示」と呼んでもよい。なお、図７の例でも、タッチパネル１０３には、ロック解除用のアイコンを示す画像２６０が表示される。ユーザが画像２６０をタッチする操作を入力すると、ロックが解除され、操作装置１００を操作可能な状態（例えば、特定の状況）に移行する。【００４９】
図５〜図７の各例に示すように、図３のＳ１４で行われる第２表示は、右中央部１４ＲＣ及び左中央部１４ＬＣに画像を表示させる表示、と言い換えてもよい。Ｓ１４では、制御部は、画像表示ユニット２の稼働状況に応じて、図５〜図７のうちのどのタイプの第２表示を行わせるのかを切り替えることができる。制御部は、Ｓ１４で第２表示を行うと、Ｓ１０に戻って、特定の状況か否かの判断を再度行う。【００５０】
（表示切替の具体例）
表示部が図３の表示制御処理を実行することにより、右表示部１４Ｒ、左表示部１４Ｌ、及びタッチパネル１０３が、第１表示（Ｓ１２）と第２表示（Ｓ１４）とを選択的に行う場合の具体例を説明する。【００５１】
例えば、画像表示ユニット２において所定のアプリケーションが起動され、右表示部１４Ｒ、左表示部１４Ｌ、及びタッチパネル１０３が、図５に示す第２表示（即ち２Ｄ表示）を行っている状況を想定する。この場合、ユーザが、タッチパネル１０３の画像２６０にタッチすると、操作装置１００のロックが解除される。【００５２】
操作装置１００のロックが解除されると、タッチパネル１０３は、ユーザに暗証番号の入力を要求する。この際、制御部は、特定の状況であると判断し（Ｓ１０でＹＥＳ）、右表示部１４Ｒ、左表示部１４Ｌ、及びタッチパネル１０３に図４に示す第１表示を行わせる（Ｓ１２）。【００５３】
ユーザは、表示部１４越しにタッチパネル１０３を視認しながらタッチパネル１０３を操作し、暗証番号を入力する操作を行う。入力された暗証番号の認証が成功すると、別のアプリケーションが起動される。その結果、制御部は、特定の状況ではなくなったと判断し（Ｓ１０でＮＯ）、右表示部１４Ｒ、左表示部１４Ｌ、及びタッチパネル１０３に、第１表示を終了させて図６に示す第２表示（即ち２Ｄ連続表示）を行わせる。この場合の第２表示（図６）は、暗証番号の認証が成功したことによって行われる第２表示である。【００５４】
上記の例に示すように、制御部は、右表示部１４Ｒ、左表示部１４Ｌ、及びタッチパネル１０３が第２表示（図５〜図７参照）を行っている間に、タッチパネル１０３の画像２６０にタッチする操作を行うことで、制御部は、右表示部１４Ｒ、左表示部１４Ｌ、及びタッチパネル１０３に第２表示を終了させ、第１表示を行わせることができる。また、制御部は、右表示部１４Ｒ、左表示部１４Ｌ、及びタッチパネル１０３が第１表示（図４参照）を行っている間に、タッチパネル１０３において、ユーザに要求されている操作が入力される場合に、右表示部１４Ｒ、左表示部１４Ｌ、及びタッチパネル１０３に第１表示を終了させ、第２表示を行わせることができる。このように、制御部は、画像表示ユニット２の状況に応じて、右表示部１４Ｒ、左表示部１４Ｌ、及びタッチパネル１０３に第１表示と第２表示のどちらを行わせるのかを切り替えることができる。【００５５】
以上、本実施例の画像表示ユニット２の構成及び動作について説明した。本実施例の画像表示ユニット２によると、右表示部１４Ｒ、左表示部１４Ｌ、及びタッチパネル１０３において第１表示（図４参照）が行われている間は、右中央部１４ＲＣ及び左中央部１４ＬＣに画像が表示されないため、頭部装着装置１０を装着しているユーザは、表示部１４越しに、操作装置１００のタッチパネル１０３に表示されている画像を、表示部１４に表示される画像によって妨げられることなく視認することができる。そのため、ユーザは、表示部１４越しにタッチパネル１０３を視認しながら、タッチパネル１０３を操作して、要求されている操作を入力することができる。そして、右表示部１４Ｒ、左表示部１４Ｌ、及びタッチパネル１０３において第２表示（図５〜図７参照）が行われている間は、右中央部１４ＲＣ及び左中央部１４ＬＣを含む右表示部１４Ｒ及び左表示部１４Ｌに画像が表示されるため、頭部装着装置１０を装着しているユーザは、右表示部１４Ｒ及び左表示部１４Ｌに表示される画像を視認することができる。従って、本実施例の画像表示ユニット２によると、右表示部１４Ｒ、左表示部１４Ｌ、及びタッチパネル１０３に、ユーザが視認できる態様で適切に画像を表示させることができる。【００５６】
また、制御部は、画像表示ユニット２の状況に応じて、右表示部１４Ｒ、左表示部１４Ｌ、及びタッチパネル１０３に第１表示と第２表示のどちらを行わせるのかを切り替えることができる（図３参照）。第２表示が行われている間に、タッチパネル１０３に画像２６０をタッチする操作が入力される場合、ユーザが、その後、タッチパネル１０３にさらに操作（例えば暗証番号の入力操作）を入力する可能性がある。本実施例によると、第２表示が行われている間に画像２６０をタッチする操作が入力される場合に、第２表示が終了して第１表示が開始される。そのため、画像２６０をタッチする操作が入力された後、ユーザは、表示部１４に表示される画像によって妨げられることなく、そのままタッチパネル１０３を視認しながらタッチパネル１０３に操作を入力することができる。ユーザの操作の利便性が妨げられることを抑制することができる。【００５７】
また、本実施例では、制御部は、右表示部１４Ｒ、左表示部１４Ｌ、及びタッチパネル１０３に第２表示を行わせる場合に、図５〜図７のうちのいずれかのタイプの第２表示を行わせることができる。本実施例の画像表示ユニット２によると、ユーザに様々な態様の画像を視認させることができる。【００５８】
実施例と請求項の対応関係を説明しておく。右表示部１４Ｒ、左表示部１４Ｌ、タッチパネル１０３が、それぞれ「第１表示部」、「第２表示部」、「第３表示部」の一例である。右中央部１４ＲＣ、左中央部１４ＬＣが、それぞれ、「第１中央部」、「第２中央部」の一例である。タッチパネル１０３が「操作部」の一例である。制御部４０と制御部１４０とが「制御装置」の一例である。図４の画像２１０〜２３０がタッチパネル１０３に表示されている間に、タッチパネル１０３に暗証番号を入力する操作が「第１操作」の一例である。図５〜図７の画像２６０をタッチする操作が「第２操作」の一例である。図５の表示が「第１種の第２表示」の一例である。図６、図７の表示が「第２種の第２表示」の一例である。【００５９】
以上、実施例を詳細に説明したが、これらは例示に過ぎず、特許請求の範囲を限定するものではない。特許請求の範囲に記載の技術には、以上に例示した具体例を様々に変形、変更したものが含まれる。例えば、以下の変形例が含まれる。【００６０】
（変形例１）上記の実施例では、制御部４０と制御部１４０とが協働して図３の表示制御処理を実行する。これに限られず、制御部４０が単独で図３の表示制御処理を実行してもよい。その場合、制御部４０が「制御装置」の一例である。また、制御部１４０が単独で図３の表示制御処理を実行してもよい。その場合、制御部１４０が「制御装置」の一例である。また、頭部装着装置１０と操作装置１００とは異なる別の制御装置が図３の表示制御処理を実行してもよい。【００６１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図１】
2018173288.tif 000003
【図２】
2018173288.tif 000004
【図３】
2018173288.tif 000005
【図４】
2018173288.tif 000006
【図５】
2018173288.tif 000007
【図６】
2018173288.tif 000008
【図７】
2018173288.tif 000009
【国際調査報告】
2018173288.tif 000010
2018173288.tif 000011
2018173288.tif 000012
2018173288.tif 000013